(57)【要約】【課題】自然な色味の画像データを得ることができるカメラを提供する。【解決手段】撮像部８と、投映部１４と、前記撮像部において撮像を行う際に用いるホワイトバランス値を設定する設定部４と、前記ホワイトバランス値に基づいて前記投映部から照射される投映光の色を決定する決定部４と、前記決定部により決定された色の投映光を前記投映部から照射する投映制御部３６と、前記投映部から前記決定部により決定された色の投映光の照射を行いつつ前記撮像部により撮像を行なう撮像制御部２６とを備える。【選択図】図１
2012124801.tif 000002
【特許請求の範囲】
【請求項１】
撮像部と、
投映部と、
前記撮像部において撮像を行う際に用いるホワイトバランス値を設定する設定部と、
前記ホワイトバランス値に基づいて前記投映部から照射される投映光の色を決定する決定部と、
前記決定部により決定された色の投映光を前記投映部から照射する投映制御部と、
前記投映部から前記決定部により決定された色の投映光の照射を行いつつ前記撮像部により撮像を行なう撮像制御部と
を備えることを特徴とするカメラ。
【請求項２】
前記ホワイトバランス値は、前記撮像部から出力される撮像信号に基づいて算出されたホワイトバランス値であることを特徴とする請求項１記載のカメラ。
【請求項３】
前記ホワイトバランス値は、操作者が選択したホワイトバランス値であることを特徴とする請求項１記載のカメラ。
【請求項４】
全押し操作により前記撮像部による撮像を指示し、半押し操作により前記撮像部による撮像準備を指示するシャッタボタンを備え、
前記シャッタボタンの半押し操作により、前記投映部から前記決定部により決定された色の投映光を照射することを特徴とする請求項１〜３の何れか一項に記載のカメラ。
【請求項５】
前記投映部から照射する投映光の色を調整する調整部を備えることを特徴とする請求項１〜４の何れか一項に記載のカメラ。
【発明の詳細な説明】
【技術分野】
【０００１】
本発明は、カメラに関するものである。
【背景技術】
【０００２】
従来、プロジェクタ投映と撮影を同時に行うことができる携帯型情報機器が存在する（例えば、特許文献１参照）。この携帯型情報機器によれば、撮影画角内に均一な輝度の画像を投映することにより、投映光を撮影補助光とする他にフレーミングのアシストとして用いることができる。
【先行技術文献】
【特許文献】
【０００３】
【特許文献１】特開２００６−９３８０１号公報
【発明の概要】
【発明が解決しようとする課題】
【０００４】
しかしながら、上述の携帯型情報機器においては、撮影補助光の色と環境光の色とが合致しない場合には、得られた画像データの色味に関し撮影補助光の色と環境光の色との差により不自然さや違和感が生じ、自然な色味の画像データを得ることができない場合があった。
【０００５】
本発明の目的は、自然な色味の画像データを得ることができるカメラを提供することである。
【課題を解決するための手段】
【０００６】
本発明のカメラは、撮像部と、投映部と、前記撮像部において撮像を行う際に用いるホワイトバランス値を設定する設定部と、前記ホワイトバランス値に基づいて前記投映部から照射される投映光の色を決定する決定部と、前記決定部により決定された色の投映光を前記投映部から照射する投映制御部と、前記投映部から前記決定部により決定された色の投映光の照射を行いつつ前記撮像部により撮像を行なう撮像制御部とを備えることを特徴とする。
【発明の効果】
【０００７】
本発明によれば、自然な色味の画像データを得ることができる。
【図面の簡単な説明】
【０００８】
【図１】実施の形態に係るカメラのシステム構成を示すブロック図である。
【図２】実施の形態に係るカメラの撮影処理を示すフローチャートである。
【図３】実施の形態に係るカメラの外観を示す背面図である。
【発明を実施するための形態】
【０００９】
以下、図面を参照して、本発明の実施の形態に係るカメラについて説明する。図１は、本発明の実施の形態に係るカメラのシステム構成を示すブロック図である。図１に示すように、カメラ２は、カメラ２の各部を統括的に制御する制御部４を備えている。制御部４には、被写体を撮像する撮像部８、撮像部８から出力された撮像信号から生成された画像データを記憶するメモリ１０、制御部４が実行する撮影処理、投映処理、投映光の色の決定等のプログラムを記憶するプログラムメモリ１１、撮影画像及び投映画像の画像データ等を記憶するメモリカード１２、撮像部８による撮影画角内に投映光を照射する投映部１４、カメラ２の背面部に配置され撮像部８により撮像された画像、スルー画及びカメラ２のモードを設定する画面等を表示するＬＣＤ表示部１６及び操作部１８が接続されている。
【００１０】
ここで、撮像部８は、撮影レンズ２０、イメージセンサ２２、レンズ駆動回路２４及び撮影制御回路２６を備えている。イメージセンサ２２は、ＣＣＤやＣＭＯＳ等の撮像素子により構成される。撮影レンズ２０は、イメージセンサ２２の撮像面上に被写体像を結像させる。撮影制御回路２６は、制御部４からの指令によりイメージセンサ２２およびレンズ駆動回路２４を駆動制御する。即ち、撮影制御回路２６は、制御部４からの撮影開始指示に応じてイメージセンサ２２に撮像を開始させ、イメージセンサ２２から読出した撮像信号を制御部４へ送出する。レンズ駆動回路２４は、撮影制御回路２６から出力されるフォーカス調節信号に基づいて、撮影レンズ２０を構成するフォーカスレンズ（不図示）を光軸方向に移動させる。また、レンズ駆動回路２４は、撮影制御回路２６から出力されるズーム調節信号に基づいて、撮影レンズ２０を構成するズームレンズ（不図示）を光軸方向（テレ側もしくはワイド側）に移動させる。
【００１１】
投映部１４は、投映レンズ３０、液晶パネル３２、ＬＥＤ光源３４及び投映制御回路３６を備えている。投映部１４は、投映レンズ３０を介して液晶パネル３２に表示された画像の投映を行う。投映制御回路３６は、制御部４から出力される投映指令に応じてＬＥＤ光源３４及び液晶パネル３２の制御を行う。
【００１２】
操作部１８は、電源スイッチ、レリーズボタン、ズームボタン、カメラ２のモードを設定するモード設定ボタン、投映光の色を調整する投映光調整部材４０、十字ボタン及びＯＫボタン等を備えている。
【００１３】
ここで、撮像部８及び投映部１４は、撮像部８による撮影方向と投映部１４による投映方向が同じ方向を向いて配置される。また、撮像部８及び投映部１４は互いに近接して配置される。これにより、撮像部８による撮影画角内に対して、投映部１４からの投映光を照射することが可能となる。
【００１４】
次に、図２に示すフローチャートを参照して本発明の実施の形態に係るカメラ２の撮影処理について説明する。操作者が操作部１８のモード設定ボタンを操作することによりカメラ２を撮影モードに移行させると、制御部４は、撮像部８により所定のフレームレートで被写体を撮像し、撮像部８から出力された撮像信号に基づいてＬＣＤ表示部１６にスルー画を表示する。ここで、撮像部８から出力されたスルー画像の画像データは一時的にメモリ１０に記憶される。
【００１５】
制御部４は、レリーズボタンが半押しされた場合には（ステップＳ１０、Ｙｅｓ）、メモリ１０に一時的に記憶された画像データに基づいて、撮像部８により撮像を行う際に用いる撮影用のホワイトバランス値を算出する（ステップＳ１２）。ここで、撮影用のホワイトバランス値は、ＲＧＢ、ＹＵＶ等の色座標で定義される値である。
【００１６】
撮影用のホワイトバランス値がイメージセンサ２２のＲＧＢ感度の比率で表されている場合には、撮影用のホワイトバランス値を色座標に変換した後、投映光の色が撮影用のホワイトバランス値と同じ色座標となるように投映光の色（投映用のホワイトバランス値）を決定する（ステップＳ１４）。そして、投映制御回路３６は制御部４からの指令により、液晶パネル３２の各画素の反射率または透過率を制御して投映部１４から、決定された投映用のホワイトバランス値の投映光が撮像部８による撮影画角内に照射される（ステップＳ１６）。
【００１７】
制御部４は、投映光調整部材４０が操作された場合には（ステップＳ１８、Ｙｅｓ）、投映光の色を調整する（ステップＳ２０）。即ち、図３に示すように、カメラ２の背面に設けられている操作部１８に含まれる投映光調整部材４０が時計回りに回転操作された場合には、液晶パネル３２の各画素の反射率または透過率を制御して、投映光の色の赤成分を多くする。逆に、投映光調整部材４０が反時計回りに回転操作された場合には、投映光の色の青成分を多くする。従って、操作者が投映光の色を確認しながら投映光調整部材４０を操作することにより投映光の色を所望の色に調整する。そして、ステップＳ１６に戻り、調整された色の投映光が撮像部８による撮影画角内に照射される（ステップＳ１６）。
【００１８】
制御部４は、レリーズボタンが全押しされた場合には（ステップＳ２２、Ｙｅｓ）、撮像部８により撮影用のホワイトバランス値を用いて撮影を行い（ステップＳ２４）、撮影された画像に基づく画像データをメモリカード１２に記憶する。
【００１９】
本発明の実施の形態に係るカメラによれば、撮影用のホワイトバランス値に基づいて投映部から照射する投映光の色を決定し、撮影画角内において投映部により、決定された色に基づく投映光が照射された状態で撮像部により撮像するため、投映光の色と環境光の色とが合致した状態で撮影を行うことできる。従って、投映光と環境光との色の差により生じる不自然さや違和感がない自然な色味の画像データを得ることができる。また、投映光が照射されている状態で投映光の色を調整することにより、投映光の色を撮影を行う環境に応じて操作者の所望の色に調整することができる。
【００２０】
なお、上述の実施の形態においては、撮像部８から出力されたスルー画の画像データに基づいて撮影用のホワイトバランス値を算出しているが、操作者の操作部１８を用いた操作により、撮影モードで使用する撮影用のホワイトバランス値を予め設定するようにしてもよい。
【００２１】
また、上述の実施の形態においては、メモリ１０に撮影を行う環境に応じた撮影用のホワイトバランス値が複数記憶されている場合には、操作者の操作により複数の中から撮影モードで使用する撮影用のホワイトバランス値を操作部１８の操作により予め選択するようにしてもよい。
【００２２】
また、上述の実施の形態において、ＬＥＤ光源３４に代えてＲＧＢ  ＬＥＤ光源やＲＧＢレーザ光源を用いて、各色ＬＥＤや各色レーザの電流比率を制御することにより、ＲＧＢ  ＬＥＤ光源やＲＧＢレーザ光源から照射する光の色を調整し、撮影用のホワイトバランス値に基づく色の投映光を照射するようにしてもよい。
【００２３】
また、上述の実施の形態において、カメラ２の投映部１４がＤＭＤ（デジタルミラーデバイス）を備える場合には、ＤＭＤの各ミラーの所定方向への反射時間を制御することにより、撮影用のホワイトバランス値に基づく色の投映光を照射するようにしてもよい。
【符号の説明】
【００２４】
２…カメラ、４…制御部、８…撮像部、１０…メモリ、１４…投映部、１６…ＬＣＤ表示部、１８…操作部、２６…撮影制御回路、３６…投映制御回路。
【図１】
2012124801.tif 000003
【図２】
2012124801.tif 000004
【図３】
2012124801.tif 000005